(57)【要約】      （修正有）【課題】ハロゲン照明のような周辺環境から発生される赤外線によって液晶シャッター式立体眼鏡が誤作動を起こす問題を解決する液晶シャッター式立体眼鏡を提供する。【解決手段】ディスプレイ装置から送出されるＩＲ信号を受信するためのＩＲセンサー２３０を有するＩＲ受信部２００と、液晶シャッターで成された左眼部及び右眼部を有する両眼部と、前記両眼部の液晶シャッターをオンオフするための液晶シャッター駆動部を有する液晶シャッター方式の立体眼鏡が提供され、前記ＩＲ受信部は、前記ＩＲセンサーに向けて凸のＩＲレンズ部２１２と、ＩＲセンサーに向けて入射されるＩＲのうち予め決められた高さ角度以上のＩＲを吸収するＩＲ吸収部２１１ａ，２１１ｂを有する。【選択図】図２ｂ
2011244413.tif 000002
【特許請求の範囲】
【請求項１】
ＩＲ信号を受信するためにＩＲセンサーを有するＩＲ受信装置において、
前記ＩＲ受信装置は、前記ＩＲセンサーに外部からのＩＲを集光するための集光レンズ部と、ＩＲセンサーに向けて入射されるＩＲのうち予め決められた角度で進入するＩＲを吸収するよう前記集光レンズ部の少なくとも一部に結合されたＩＲ吸収部を有することを特徴とするＩＲ受信装置。
【請求項２】
ディスプレイ装置から送出されるＩＲ信号を受信するためのＩＲセンサーを有するＩＲ受信部と、
液晶シャッターで成された左眼部及び右眼部を有する両眼部と、
前記両眼部の液晶シャッターをオンオフするための液晶シャッター駆動部を有するシャッター方式の立体眼鏡において、
前記ＩＲ受信部は、
前記ＩＲセンサーにＩＲを集光させるための集光レンズ部と、
ＩＲセンサーに向けて入射されるＩＲのうち予め決められた高さ角度以上のＩＲを吸収するよう前記集光レンズ部の上側に結合されたＩＲ吸収部を有することを特徴とする液晶シャッター方式の立体眼鏡。
【請求項３】
前記集光レンズ部は、ＩＲセンサーに向けて凸レンズで形成されたことを特徴とする請求項２に記載の液晶シャッター方式の立体眼鏡。
【請求項４】
前記集光レンズ部は、ＩＲセンサーでＩＲを集光するためのフレネルレンズで形成されたことを特徴とする請求項２に記載の液晶シャッター方式の立体眼鏡。
【請求項５】
前記ＩＲ受信部は、ＩＲセンサーに向けて入射されるＩＲのうち予め決められた高さ角度以下から入射されるＩＲを吸収するよう前記集光レンズ部の下側に結合された第２のＩＲ吸収部を有することを特徴とする請求項２に記載の液晶シャッター方式の立体眼鏡。
【請求項６】
前記ＩＲ吸収部は前記集光レンズの外側周に沿って形成されたことを特徴とする請求項２に記載の液晶シャッター方式の立体眼鏡。
【請求項７】
前記ＩＲ吸収部は前記集光レンズの内側周に沿って形成されたことを特徴とする請求項２に記載の液晶シャッター方式の立体眼鏡。
【発明の詳細な説明】
【技術分野】
【０００１】
本発明は、ＩＲ受信装置及びこれを備えた液晶シャッター式立体眼鏡に関するものであって、詳細にはハロゲン照明のような周辺環境から発生される赤外線によって液晶シャッター式立体眼鏡が誤作動を起こす問題を解決できるＩＲ受信装置と、これを備えた液晶シャッター式立体眼鏡に関する。
【背景技術】
【０００２】
近年、テレビの映像をユーザに３Ｄで提供する３Ｄテレビの開発が活発に行われている。立体映像を具現する方式としては、眼鏡を着用する方式と眼鏡を着用しない方式とに大別されるが、特に眼鏡を着用する方式の場合、現在製造されるテレビ用パネルを別途変更せずに具現できるため、多くの利点がある。
【０００３】
眼鏡を着用する方式は両眼にそれぞれ青色と赤色の色眼鏡を使用するアナグリフ方式と、偏光方向がそれぞれ異なる偏光眼鏡を使用する偏光方式、また液晶シャッターが設けられた眼鏡を使用する液晶シャッター方式(または時分割シャッター方式)が知られている。
【０００４】
以下、液晶シャッター方式の立体映像具現方法について説明する。
液晶シャッター方式を使用する立体映像の場合、ディスプレイ装置では一画面に対して左眼用映像と右眼用映像とを迅速且つ交代にディスプレイするが、これを立体的に具現するためにはディスプレイ装置から出力される左眼用映像に対しては液晶シャッター眼鏡の左眼部のみを開放し、右眼用映像に対しては液晶シャッター眼鏡の右眼部のみを開放することによって、両眼時差を利用して立体映像を具現する。
【０００５】
即ち、液晶シャッター方式を使用する立体ディスプレイ装置は、左眼用画像及び右眼用画像が迅速にディスプレイし、この左眼用画像と右眼用画像の交代タイミングに合わせて液晶シャッター眼鏡の左眼部と右眼部の開閉を同時化させることが必須である。このような同期化方式として、例えばディスプレイ装置から送出される。ＩＲ赤外線信号に液晶シャッターを同期化させる方式が費用的な側面で現在主流を成している。
【０００６】
図１ａ及び図１ｂは、従来の液晶シャッター方式の眼鏡１０００の一例を示した図である。
【０００７】
図１ａに示したように、従来の液晶シャッター方式の眼鏡は、右眼部１１１０及び左眼部１１２０で成された両眼部１１００と、ＩＲ受信部１３００と、電源部１５００とで成される。両眼部１１００の左眼部１１２０及び右眼部１１１０はそれぞれ液晶シャッターを含んで形成される。
【０００８】
このような液晶シャッター方式を使用する立体映像の場合、ディスプレイ装置では一画面に対して左眼用映像と右眼用映像とを迅速且つ交代にディスプレイするが、液晶シャッター眼鏡ではディスプレイ装置から出力される左眼用映像に対しては液晶シャッター眼鏡の左眼部のみを開放し、右眼用映像に対しては液晶シャッター眼鏡の右眼部のみを開放する。
【０００９】
このようなディスプレイ画面と液晶シャッター眼鏡との同期化のために、液晶シャッター眼鏡はディスプレイから出力されるＩＲ赤外線信号に液晶シャッターを同期化する。
【００１０】
このような赤外線ＩＲ同期化のために、液晶シャッター眼鏡の場合、ＩＲ受信部１３００が別途備えられている。このＩＲ受信部１３００は、ディスプレイ装置(図示せず)から送出されたＩＲタイプの同期信号を受信する機能を担当し、シャッター信号駆動部(図示せず)では前記受信された同期信号に一致して右眼部１１１０及び左眼部１１２０の液晶にそれぞれ電源をオン／オフ印加することによって、右眼部１１１０及び左眼部１１２０の液晶の開閉を行い、それによって両眼時差に基盤した立体映像が具現される。
【００１１】
図１ｂは、従来の液晶シャッター方式眼鏡１０００においてＩＲ受信部１３００をより具体的に示した図である。
【００１２】
図１ｂに示したように、従来のＩＲ受信部１３００は、ＩＲセンサー１３２０及びＩＲセンサー１３１０を保護するためのＩＲセンサーカバー１３１０を主にして形成される。実際、このような構造のＩＲ受信部１３００は、ユーザの前方に位置したディスプレイ装置(図示せず)から送出されるＩＲ１同期信号を受信して動作するように構成される。従って、ディスプレイ装置が設けられた場所の室内環境照明からのＩＲ信号の干渉がない場合、このような構造は価格に対比して割と正確なＩＲ同期化が行なわれるという利点がある。
【００１３】
しかし、万一、室内照明としてハロゲン照明などを利用する場合、ハロゲンの発熱により上側方向から多量の赤外線(ＩＲ２)が放出されるが、このように照明などとしてハロゲンを使用する場合には、ハロゲン照明から放出された赤外線(ＩＲ２)がＩＲセンサー１３２０に引き込まれてディスプレイ画面から送出されるＩＲ１信号と液晶シャッター眼鏡の液晶開閉との同期化に悪影響を与え、液晶シャッターの正常的な動作を妨害するという問題点がある。
【００１４】
従って、ハロゲン照明のような外部環境のＩＲ放射体によりＩＲ受信が妨害されるのを防止できるＩＲ受信器の必要性が求められており、特に液晶シャッター方式眼鏡のような高い同期化精度が必要なアプリケーションの場合、前述した問題点をさらに解決する必要がある。
【発明の概要】
【発明が解決しようとする課題】
【００１５】
本発明は、前述したように、室内のハロゲン照明から放出される赤外線によって発生される問題点を解決できるＩＲ受信器の構造及びこれを備えた液晶シャッター方式の眼鏡を提供することを目的とする。
【課題を解決するための手段】
【００１６】
前記した課題を解決するために、本発明の第１の様態による液晶シャッター方式の立体眼鏡は、ディスプレイ装置から送出されるＩＲ信号を受信するためのＩＲセンサーを有するＩＲ受信部と、液晶シャッターで成された左眼部及び右眼部を有する両眼部及び前記両眼部の液晶シャッターをオンオフするための液晶シャッター駆動部と、を有し、
前記ＩＲ受信部は、前記ＩＲセンサーに向けて凸のＩＲレンズ部と、ＩＲセンサーに向けて入射されるＩＲのうち予め決められた高さ角度以上のＩＲを吸収するＩＲ吸収部を有する。
【００１７】
また、本発明の第２の様態によると、本発明はＩＲ信号を受信するためにＩＲセンサーを有するＩＲ受信装置を提供し、前記ＩＲ受信装置は、前記ＩＲセンサーに向けて凸のＩＲレンズ部と、ＩＲセンサーに向けて入射されるＩＲのうち予め決められた高さ角度以上のＩＲを吸収するＩＲ吸収部を有する。
【００１８】
また、本発明による液晶シャッター方式の立体眼鏡において、集光レンズ部はＩＲセンサーに向けて凸レンズで形成され、液晶シャッター眼鏡を着用したユーザがディスプレイ画面の中央部分から外れていてもＩＲ信号と液晶シャッター眼鏡とのＩＲ同期をより精度良く行うことができる。
【００１９】
また、集光レンズ部は、ＩＲセンサーでＩＲを集光するためのフレネルレンズ（Ｆｒｅｓｎｅｌ  ｌｅｎｓ）で形成されることもできるが、集光レンズとしてフレネルレンズを利用した場合、ＩＲ受信部の大きさ、特に厚さを薄くすることによって液晶シャッター眼鏡の外観をより向上させることができる。
【００２０】
また、ＩＲ受信部は、ＩＲセンサーに向けて入射されるＩＲのうち予め決められた高さ角度以下から入射されるＩＲを吸収するように前記集光レンズ部の下側に結合された第２のＩＲ吸収部を有することもでき、それによって床の乱反射などを通して照明からのＩＲがＩＲ受信部に入射されることを防止することができる。
【００２１】
ＩＲ吸収部は、集光レンズの内側周に沿って形成されることもでき、集光レンズの外側周に沿って形成されることもできる。
【発明の効果】
【００２２】
本発明によると、室内のハロゲン照明から放出される赤外線が液晶シャッター眼鏡のＩＲ受信部の上側に形成されたＩＲ吸収部によってＩＲセンサー内部へ流入されることが防止され、従って本発明のＩＲ受信器構造を液晶シャッター方式の眼鏡に採用する場合、ハロゲン照明下においても安定的にディスプレイ装置と液晶シャッター方式の立体眼鏡の赤外線同期化が具現される。
【図面の簡単な説明】
【００２３】
【図１ａ】従来技術による液晶シャッター方式の立体眼鏡構造を概略的に示した図である。
【図１ｂ】図１ａに示された立体眼鏡のうちＩＲ受信部の構成をより具体的に示した図である。
【図２ａ】本発明の第１実施の形態による液晶シャッター方式の立体眼鏡構造を概略的に示した図である。
【図２ｂ】図２ａに示された立体眼鏡のうちＩＲ受信部の構成をより具体的に示した図である。
【図３】レンズ部を採用していない場合とレンズ部を採用した場合とのＩＲ受信範囲または角度を概略的に示した図である。
【図４】本発明の変形例を示した図である。
【図５】本発明のまた他の変形例を示した図である。
【発明を実施するための形態】
【００２４】
以下、添付した図面を参照して本発明について詳細に説明する。
図２ａは、本発明による液晶シャッター方式の眼鏡１００を概略的に示した図である。
【００２５】
図２ａに示したように、本発明による液晶シャッター方式の眼鏡は、右眼部１１１及び左眼部１１２で成された両眼部１１０と、ＩＲ受信部２００と、電源部５００とから成される。両眼部１１１の左眼部１１２及び右眼部１１０はそれぞれ液晶シャッターを含んで形成される。
【００２６】
図２ｂは、本発明による液晶シャッター方式眼鏡１００のＩＲ受信部２００の具体的に示した図である。図２ｂに示したように、本発明によるＩＲ受信部２００はディスプレイ装置(図示せず)から送出されてきたＩＲ信号を受信するＩＲセンサー２３０及び前記ＩＲセンサー２３０を囲むように形成されるレンズカバー部２１０を有する。
【００２７】
レンズカバー部２１０は、レンズ部２１２及びＩＲ吸収部２１１を含んで二重射出方式により形成される。前記実施の形態において、ＩＲ吸収部２１１はレンズカバー部２１０のレンズ部２１２の内側に形成されるが、具体的に第１のＩＲ吸収部２１１ａはセンサー２３０の中心軸線Ｘ線上で上側を基準にして予め決められた角度以上から伝達される赤外線を吸収するようにＰＣ（ＢＫ）などを使用して形成される。また、第２のＩＲ吸収部２１１ｂはセンサー２３０の中心軸線(Ｘ)線上で下側を基準にして予め決められた角度以下から伝達される赤外線を吸収するようＰＣ（ＢＫ）などを使用して形成される。
【００２８】
前記実施の形態においては、ＩＲ吸収部２１１はレンズ部２１１の内周面の上側及び下側にそれぞれ形成されたものと示されたが、ＩＲ吸収部２１１は、ハロゲン照明が上方に設けられることを考慮して上側に形成された第１のＩＲ吸収部２１１ａのみを有することもできる。
【００２９】
また、前記実施の形態によるレンズカバー部２１０の構造は、従来のカバー部１３１０とは異なるようにＩＲセンサーと対面したカバー部２１０の位置、即ちレンズカバー部２１０の前面中央部がＩＲセンサー２３０に向けて凸形状のＩＲ樹脂で製造されたレンズ部２３２を含んで形成される。
【００３０】
ＩＲ樹脂は、可視光線を遮断すると共に赤外線のみを通過するようにして可視光線による雑音の生成を未然に防止することができる。また、レンズ部２３２がＩＲセンサー２３０に向けて下に凸形状の光収斂特性を持つことに伴って、図３に示したように、従来のディスプレイ装置から送出されたＩＲ信号の受信角度θ１がθ２へさらに広くなり、ディスプレイ装置の垂直方向から外された地点でのＩＲセンサーの受信特性がさらに向上される。
【００３１】
図４は、本発明によるレンズカバー部の変形例を示した図である。
【００３２】
図４に示した実施の形態は、ＩＲ吸収部２１１’ａ、２１１’ｂがＩＲレンズ部２１２の内側ではない外側の上部と下部とに形成されたことを除いては図２ｂに示したレンズカバー部２００と類似する。この変形例においてもＩＲ吸収部は上側に形成された第１のＩＲ吸収部２１１’ａのみを有することもできる。
【００３３】
図５は、本発明によるレンズカバー部のまた他の変形例を示した図である。
【００３４】
図５に示した実施の形態は、ＩＲレンズ部２１２’がフレネルレンズで形成された点を除いては図４に示したレンズカバー部と類似する。この変形例においてもＩＲ吸収部は上側に形成された第１のＩＲ吸収部２１１’ａのみを有することもできる。この構造では、前述した実施の形態のレンズ部に代わってフレネルレンズを採用することによって、既存のＩＲセンサーに向けて凸の収斂レンズより厚さを薄く製作できるという利点が得られる。
【００３５】
以上の説明において本発明によるＩＲ受信器の構造を液晶シャッタータイプの立体眼鏡に採用したものについて説明したが、本発明のＩＲ受信器の構造はこれに限定されておらず、赤外線通信を行う全ての電子機器、例えば、無線リモコンなどのような分野にも適用可能である。
【００３６】
また、前記実施の形態において前記レンズ部またはレンズカバー部は非球面レンズで形成されるのが好ましいが、本発明はこれに限定されず、レンズ部の下側に位置されたＩＲセンサーに光を集光できる構造であれば、いずれも採用可能であることは当業者にとって自明なことである。
【００３７】
以上の説明は、本発明の技術思想を例示的に説明したものに過ぎず、本発明の属する技術分野において通常の知識を持つ者であれば本発明の本質的な特性から逸脱しない範囲内で様々な修正及び変形が可能である。従って、本発明に開示された実施の形態は本発明の技術思想を限定するためのものではなく、説明するものであって、このような実施の形態によって本発明の技術思想の範囲が限定されるものではない。本発明の保護範囲は特許請求の範囲によって解釈しなければならず、それと同等な範囲内にある全ての技術思想は、本発明の権利範囲に含まれるものと解釈しなければならない。
【符号の説明】
【００３８】
１１１０：右眼部
１１２０：左眼部
１１００：両眼部
１３００：ＩＲ受信部
１３１０、１３２０：ＩＲセンサー
１５００：電源部
【図１ａ】
2011244413.tif 000003
【図１ｂ】
2011244413.tif 000004
【図２ａ】
2011244413.tif 000005
【図２ｂ】
2011244413.tif 000006
【図３】
2011244413.tif 000007
【図４】
2011244413.tif 000008
【図５】
2011244413.tif 000009